(57)【要約】【課題】複数記録層を有する書き換え可能型光情報記録媒体に対して、安定した記録が可能な光情報記録装置を提供する。【解決手段】システムコントローラ２１と、記録／再生を行う記録再生回路２２と、光ピックアップ２３と、システムコントローラ２１の制御プログラムが格納されたプログラムメモリ２４と、ＤＶＤ−ＲＷディスク３０へ記録及び再生するデータを一時的に保持するデータメモリ２５と、内部バス２６と、上位装置１０と内部バス２６のインターフェースを行うＩＦ２７と、記録状態検出回路２８から構成される光情報記録装置において、レーザーパワー／アシンメトリなどの記録／再生時のパラメータ決定の際の決定要素として記録実行回数を従来の要素に加えることにより安定記録を可能とする。【選択図】図１
2007087504.tif 000002
【特許請求の範囲】
【請求項１】
書き換え可能型の光ディスクであって、記録条件を様々に変えてテスト信号を光ディスクに記録し、当該記録されたテスト信号を再生して記録状態の良否を判定する所定の特性パラメータを検出して、当該特性パラメータが所定の設定値に近い値となるように記録条件を求め、求めた前記記録条件と記録回数に応じたパラメータとを演算することで決定した記録条件で実記録を行う光ディスク記録法で使用する、前記記録回数に応じたパラメータを予め記録しておくことを特徴とする光ディスク。
【請求項２】
書き換え可能型の光ディスクであって、記録条件を様々に変えてテスト信号を光ディスクに記録し、当該記録されたテスト信号を再生して記録状態の良否を判定する所定の特性パラメータを検出して、当該特性パラメータが所定の設定値に近い値となるように記録条件を決定し、その記録条件で実記録を行う光ディスク記録法で使用する前記設定値を予め記録しておく光ディスクであって、記録回数によって異なる前記設定値を記録しておくことを特徴とする光ディスク。
【請求項３】
書き換え可能型の光ディスクに記録する記録方法であって、記録条件を様々に変えてテスト信号を光ディスクに記録し、当該記録されたテスト信号を再生して記録状態の良否を判定する所定の特性パラメータを検出して、当該特性パラメータが所定の設定値に近い値となるように記録条件を求め、求めた前記記録条件と記録回数に応じたパラメータとを演算することで決定した記録条件で実記録を行う光ディスク記録方法。
【請求項４】
書き換え可能型の光ディスクに記録する記録装置であって、記録条件を様々に変えてテスト信号を光ディスクに記録し、当該記録されたテスト信号を再生して記録状態の良否を判定する所定の特性パラメータを検出して、当該特性パラメータが所定の設定値に近い値となるように記録条件を求め、求めた前記記録条件と記録回数に応じたパラメータとを演算することで決定した記録条件で実記録を行う光ディスク記録装置。
【請求項５】
書き換え可能型の光ディスクへの記録処理を記録手段に実行させる記録プログラムであって、記録条件を様々に変えてテスト信号を光ディスクに記録し、当該記録されたテスト信号を再生して記録状態の良否を判定する所定の特性パラメータを検出して、当該特性パラメータが所定の設定値に近い値となるように記録条件を求め、求めた前記記録条件と記録回数に応じたパラメータとを演算することで決定した記録条件で実記録を記憶手段に実行させる光ディスク記録プログラム。
【請求項６】
書き換え可能型の光ディスクに記録する記録方法であって、記録条件を様々に変えてテスト信号を光ディスクに記録し、当該記録されたテスト信号を再生して記録状態の良否を判定する所定の特性パラメータを検出して、当該特性パラメータが記録回数に応じた所定の設定値に近い値となるように記録条件を決定し、その記録条件で実記録を行うことを特徴とする光ディスク記録方法。
【請求項７】
書き換え可能型の光ディスクに記録する記録装置であって、記録条件を様々に変えてテスト信号を光ディスクに記録し、当該記録されたテスト信号を再生して記録状態の良否を判定する所定の特性パラメータを検出して、当該特性パラメータが記録回数に応じた所定の設定値に近い値となるように記録条件を決定し、その記録条件で実記録を行うことを特徴とする光ディスク記録装置。
【請求項８】
書き換え可能型の光ディスクへの記録処理を記憶手段に実行させる記録プログラムであって、記録条件を様々に変えてテスト信号を光ディスクに記録し、当該記録されたテスト信号を再生して記録状態の良否を判定する所定の特性パラメータを検出して、当該特性パラメータが記録回数に応じた所定の設定値に近い値となるように記録条件を決定し、その記録条件で実記録を記憶手段に実行させることを特徴とする光ディスク記録プログラム。
【請求項９】
記録膜の状態が結晶状態からアモルファス状態に変化してマークが形成される書込パワー、アモルファス状態から結晶状態に戻って古いマークが消去されてマーク非形成区間が形成される消去パワーおよびパルス分割記録によるマーク形成区間における分割パルスの底部のボトムパワーが設定された光ビームを用いて、光ディスクに記録されている古い情報を消去しながら新しい情報を書き込んでいく書き換え可能型光ディスクの記録方法において、初めに消去パワーと書込パワーの比を適当な値に固定して書込パワーを様々に変えてテスト信号を光ディスクに記録し、当該記録されたテスト信号を再生して、再生信号の変調度に係る値を検出して、予め設定した値に近い変調度に係る値が得られるように書込パワーを決定し、次いで書込パワーを前記決定した値に固定して、消去パワーを様々に変えてテスト信号を光ディスクに記録し、当該記録されたテスト信号を再生して、再生信号のアシンメトリに係る値を検出して、予め設定した値に近いアシンメトリに係る値が得られるように消去パワーを決定し、前記書込パワーと前記消去パワーの各決定した値の組み合わせで光ビームのパワーを制御して実記録を行うことを特徴とする光ディスク記録方法。
【請求項１０】
記録膜の状態が結晶状態からアモルファス状態に変化してマークが形成される書込パワー、アモルファス状態から結晶状態に戻って古いマークが消去されてマーク非形成区間が形成される消去パワーおよびパルス分割記録によるマーク形成区間における分割パルスの底部のボトムパワーが設定された光ビームを用いて、光ディスクに記録されている古い情報を消去しながら新しい情報を書き込んでいく書き換え可能型光ディスクの記録装置において、初めに消去パワーと書込パワーの比を適当な値に固定して書込パワーを様々に変えてテスト信号を光ディスクに記録し、当該記録されたテスト信号を再生して、再生信号の変調度に係る値を検出して、予め設定した値に近い変調度に係る値が得られるように書込パワーを決定し、次いで書込パワーを前記決定した値に固定して、消去パワーを様々に変えてテスト信号を光ディスクに記録し、当該記録されたテスト信号を再生して、再生信号のアシンメトリに係る値を検出して、予め設定した値に近いアシンメトリに係る値が得られるように消去パワーを決定し、前記書込パワーと前記消去パワーの各決定した値の組み合わせで光ビームのパワーを制御して実記録を行うことを特徴とする光ディスク記録装置。
【請求項１１】
記録膜の状態が結晶状態からアモルファス状態に変化してマークが形成される書込パワー、アモルファス状態から結晶状態に戻って古いマークが消去されてマーク非形成区間が形成される消去パワーおよびパルス分割記録によるマーク形成区間における分割パルスの底部のボトムパワーが設定された光ビームを用いて、光ディスクに記録されている古い情報を消去しながら新しい情報を書き込んでいく書き換え可能型光ディスクの記録処理を記憶手段に実行させるプログラムにおいて、初めに消去パワーと書込パワーの比を適当な値に固定して書込パワーを様々に変えてテスト信号を光ディスクに記録し、当該記録されたテスト信号を再生して、再生信号の変調度に係る値を検出して、予め設定した値に近い変調度に係る値が得られるように書込パワーを決定し、次いで書込パワーを前記決定した値に固定して、消去パワーを様々に変えてテスト信号を光ディスクに記録し、当該記録されたテスト信号を再生して、再生信号のアシンメトリに係る値を検出して、予め設定した値に近いアシンメトリに係る値が得られるように消去パワーを決定し、前記書込パワーと前記消去パワーの各決定した値の組み合わせで光ビームのパワーを制御して実記録を記憶手段に実行させることを特徴とする光ディスク記録プログラム。
【請求項１２】
請求項９に記載の記録方法であって、前記予め設定した値に近い変調度に係る値が得られるように決定した書込パワーあるいは/および前記予め設定した値に近いアシンメトリに係る値が得られるように決定した消去パワーに対して、記録回数に応じた係数を乗じた値を実記録の書込パワーあるいは/および消去パワーとすることを特徴する光ディスク記録方法。
【請求項１３】
請求項１０に記載の記録装置であって、前記予め設定した値に近い変調度に係る値が得られるように決定した書込パワーあるいは/および前記予め設定した値に近いアシンメトリに係る値が得られるように決定した消去パワーに対して、記録回数に応じた係数を乗じた値を実記録の書込パワーあるいは/および消去パワーとすることを特徴する光ディスク記録装置。
【請求項１４】
請求項１１に記載の記録プログラムであって、前記予め設定した値に近い変調度に係る値が得られるように決定した書込パワーあるいは/および前記予め設定した値に近いアシンメトリに係る値が得られるように決定した消去パワーに対して、記録回数に応じた係数を乗じた値を書込パワーあるいは/および消去パワーとして実記録を記憶手段に実行させることを特徴する光ディスク記録プログラム。
【請求項１５】
請求項１２に記載の記録方法であって、前記予め設定した値に近い変調度に係る値が得られるように書込パワー決定する際の前記予め設定する値を記録回数に応じて異なる値とする、あるいは/また前記予め設定した値に近いアシンメトリに係る値が得られるように消去パワーを決定する際の前記予め設定する値を記録回数に応じて異なる値とすることを特徴する光ディスク記録方法。
【請求項１６】
請求項１３に記載の記録装置であって、前記予め設定した値に近い変調度に係る値が得られるように書込パワー決定する際の前記予め設定する値を記録回数に応じて異なる値とする、あるいは/また前記予め設定した値に近いアシンメトリに係る値が得られるように消去パワーを決定する際の前記予め設定する値を記録回数に応じて異なる値とすることを特徴する光ディスク記録装置。
【請求項１７】
請求項１４に記載の記録プログラムであって、前記予め設定した値に近い変調度に係る値が得られるように書込パワー決定する際の前記予め設定する値を記録回数に応じて異なる値とする、あるいは/また前記予め設定した値に近いアシンメトリに係る値が得られるように消去パワーを決定する際の前記予め設定する値を記録回数に応じて異なる値とするように記憶手段に実行させることを特徴する光ディスク記録プログラム。
【発明の詳細な説明】
【技術分野】
【０００１】
本発明は光情報記録装置、光情報記録方法、光情報記録プログラム及び光情報記録媒体に関するものである。
【背景技術】
【０００２】
ＤＶＤ（Digital Versatile Disc）規格に従う追記型の光ディスクであるＤＶＤ−Ｒディスク及び書き換え可能型の光ディスクであるＤＶＤ−ＲＷディスクが、現在広く普及している。図１８（Ａ）は一層のみの記録層を持つＤＶＤ−Ｒディスク又はＤＶＤ−ＲＷディスクの断面構造を模式的に示す。同図において、ディスク１００は内周から外周へ向かって、パワーキャリブレーション領域（Power Calibration Area：ＰＣＡ）１０１と、記録管理領域（Recording Management Area：ＲＭＡ）１０２と、リードイン領域（Lead-In）１０３と、データ領域（Data Area）１０４と、リードアウト領域（Lead-Out）１０５とに分割されている。
【０００３】
ＰＣＡ領域１０１とＲＭＡ領域１０２とは、Ｒ情報領域（R-Information area）１０６を構成している。データ領域１０４は、ユーザーデータが記録される領域である。リードイン領域１０３とリードアウト領域１０５は、データ領域１０４にアクセスする際の記録・再生ヘッド（光ピックアップ）のオーバーランに備える緩衝領域である。図１８（Ｂ）のようにリードイン領域１０３の一部は、コントロールデータゾーンと呼ばれる。そこには、ディスクの大きさ等のディスク全体の情報および記録パワーや記録波形パターン等の記録する際の参考条件等が、ディスク製造時に予め記録されている。
【０００４】
光ディスクドライブ装置は、ＤＶＤ−Ｒディスク又はＤＶＤ−ＲＷディスクのデータ領域に対する本記録の開始より前に、対象となるディスク１００に対して記録条件を変えながら所定の信号を試し書きし、試し書きした領域を再生することにより取得される再生信号の特性に基づいて最適記録条件を取得し、この最適記録条件によって本記録を行うようにしている。これにより、良好な記録品質を得ることができる。
【０００５】
このように、試し書きした領域からの再生信号に基づいて最適記録条件を取得することをＯＰＣ（Optimum Power Control）と呼ぶが、図１８（Ａ）のＰＣＡ領域１０１はこのＯＰＣを行うために用意されている領域である。また、図１８（Ａ）の記録管理領域（Recording Management Area, ＲＭＡ）１０２は、上述したリードイン領域１０３とデータ領域１０４とリードアウト領域１０５の記録状態の変遷やＯＰＣ情報を管理するための記録管理情報が記録される領域である。ＲＭＡ１０２内には、データ領域１０４のユーザーデータと同様にブロック化されて誤り訂正符号化された、ＲＭＤ（Recording Management Data）ブロックを単位として記録される。
【０００６】
ＤＶＤ−ＲディスクやＤＶＤ−ＲＷディスクは、図１９の斜視図に示すように、記録層に、情報トラックとしてのグルーブトラック２０１と、そのグルーブトラック２０１に光ビーム２０３を誘導するためのランドトラック２０２とが、ディスク半径方向に交互に形成されている。また、ランドトラック２０２には、ディスク製造時のプリフォーマットの段階で、ディスク上のアドレス情報等がランドプリピット（ＬＰＰ）２０４として記録されている（例えば、特許文献１参照）。ＤＶＤ−ＲディスクやＤＶＤ−ＲＷディスクへの記録は、このＬＰＰ２０４を基にして行われる。
【０００７】
ＬＰＰには、アドレス情報の他に、記録パワーや記録波形パターン等の記録する際の参考条件が格納されている。
さて、ユーザーが記録したい容量は年々増加しており、この要求に応えるべく２層の記録層を持つＤＶＤ−Ｒディスク、ＤＶＤ−ＲＷディスクの開発が進められている。図２０はこの２層ＤＶＤ−Ｒディスク、ＤＶＤ−ＲＷディスクの一例の概略構造断面図を示す。同図に示すように、片面２層のＤＶＤ−Ｒディスク、ＤＶＤ−ＲＷディスクは、一層目記録層３０１と二層目記録層３０２とが、記録再生時の光ビーム４０２の光軸方向に積層されており、光ビーム４０２は対物レンズ４０１により一層目記録層３０１に集光されるか、又は一層目記録層３０１を透過して二層目記録層３０２に集光される。
【０００８】
光ピックアップに近い方の上記の一層目記録層３０１の記録領域は、内周から外周へ向かって、ＰＣＡ領域３１１、ＲＭＡ領域３１２、リードイン領域（Ｌｅａｄ−Ｉｎ）３１３、データ領域（Ｄａｔａ  Ａｒｅａ）３１４及び中間領域（Ｍｉｄｄｌｅ  Ａｒｅａ）３１５に分割されている。また、上記の二層目記録層３０２の記録領域は、内周から外周へ向かって、ＰＣＡ領域３２１、ＲＭＡ領域３２２、リードアウト領域（Ｌｅａｄ−Ｏｕｔ）３２３、データ領域（Ｄａｔａ  Ａｒｅａ）３２４及び中間領域（Ｍｉｄｄｌｅ  Ａｒｅａ）３２５に分割されている。
すなわち、一層目記録層３０１は、図１８（Ａ）に示した単層のＤＶＤ−Ｒディスクに対して、リードアウト領域１０５が中間領域３１５に変更されている。また、二層目記録層３０２は、一層目記録層３０１とほぼ同じ構造であるが、リードイン領域３１３の替わりにリードアウト領域３２３が設けられる。一層目記録層３０１は、内周側から外周側に向かって記録され、二層目記録層３０２は外周側から内周側に向かって記録される。
【０００９】
一層目記録層３０１のデータ領域に本記録する前には、一層目記録層３０１のＰＣＡ領域３１１でＯＰＣを行い、二層目記録層３０２のデータ領域に本記録する前には、二層目記録層３０２のＰＣＡ領域３２１でＯＰＣを行う。 ＰＣＡ領域の使用法は、図２１に示すように決められている。すなわち、一層目記録層３０１のＰＣＡ領域３１１については、外周側の領域境界から内周側へと試し書きを行っていく。一方、二層目記録層３０２のＰＣＡ領域３２１については、内周側の領域境界から外周側へと試し書きを行っていく。この時、二層目のＰＣＡ領域３２１の入射側に位置する一層目記録層の領域を未記録のままとする。従って、複数回のＯＰＣ処理を行って、ＰＣＡ領域３１１の記録済みの小領域とＰＣＡ領域３２１の記録済みの小領域との半径方向の距離がある程度以下になると、それ以上のＯＰＣ処理は行うことが出来なくなる。
ＤＶＤ−ＲＷディスクは書き換え可能な媒体であるため、その場合にはＰＣＡ領域内の記録済みの領域をＤＣ消去することで、再度ＯＰＣ処理が可能になる。
【００１０】
一層目記録層３０１が未記録の状態で求めた二層目記録層３０２の最適記録パワーと、一層目記録層３０１が記録状態で求めた二層目記録層３０２の最適記録パワーとの間には、光ディスク毎に固有の差があることが知られている。二層目記録層３０２のデータ領域への記録は、記録済みの一層目記録層３０１を通して記録することが決められている。そこで、各光ディスクには、このパワーの差の値がプリ記録されている。光ディスク装置は、一層目記録層３０１が未記録の状態で求めた二層目記録層３０２の最適記録パワーから、プリ記録されているパワーの差の値を差し引いて、一層目記録層３０１が記録状態での二層目記録層３０２の最適記録パワーを算出する。
【００１１】
ＤＶＤ−ＲＷディスクは、複数回の書き換えが可能なディスクであり、書き換え可能回数は数千回以上となっている。ＤＶＤ−ＲＷディスクは相変化型の材料を用いている。ＤＶＤ−ＲＷディスクへの記録には、記録パワーが例えば図２に示すように３値Ｐｗ，Ｐｅ，Ｐｂに変化する光ビームが使用される。Ｐｗは書込パワーで、このパワーによって記録膜の状態が結晶状態からアモルファス状態に変化してマークが形成される。Ｐｅは消去パワーで、このパワーＰｅによってアモルファス状態から結晶状態に戻って古いマークが消去（オーバライト）される。Ｐｂはボトムパワーで、いわゆるパルス分割記録による分割パルスの底部のパワーに相当し、記録時に光ビーム照射による熱が拡散するのを防ぐ働きをする。
【００１２】
相変化型の光ディスクのＯＰＣを行う際の記録状態の良否を判定する特性パラメータとして、特許文献２に記載されているように、アシンメトリ値β（ＨＦ信号の非対象性を表す指標）あるいは変調度から得られる値γが用いられる。
【００１３】
特許文献２では、まず消去パワー、ボトムパワーを固定して、書込パワーを変化させてテスト用記録信号を記録し、その部分を再生して記録状態の良否を判定する特性パラメータを測定することで、最適な書込パワーを求める。次に、その書込パワーを用い、ボトムパワーを固定して、消去パワーを変化させてテスト用記録信号を記録し、その部分を再生して記録状態の良否を判定する特性パラメータを測定することで、最適な消去パワーを求める。最後にそれらの書込パワー、消去パワーを用い、ボトムパワーを変化させてテスト用記録信号を書込み、その部分を再生して記録状態の良否を判定する特性パラメータを測定することで、最適なボトムパワーを求める。以上のようにして求めた書込パワーと消去パワー、ボトムパワーを用いて、データ領域に本記録を行う方法が述べられている。ここで、記録状態の良否を判定する特性パラメータとして、βあるいはγ、あるいはエラーレートを用いることが述べられている。最適な記録状態とは、最終的にはエラーレートが最良になる記録状態であるため、エラーレートそのものを記録状態の良否を判定する特性パラメータとして用いれば良いように思える。しかしながら、実際には大量のデータを記録しないと実用に耐えうるエラーレートの測定が出来ないことから、ＯＰＣに使用すると長時間を要することと、ＰＣＡ領域を多く消費してしまうことから、ＯＰＣの特性パラメータとしては実際には用いられていない。
【特許文献１】特開平１０−２９３９２６号公報
【特許文献２】特許第３２５９６４２号公報
【発明の開示】
【発明が解決しようとする課題】
【００１４】
二層の記録層を持つ構成のＤＶＤ−ＲＷディスクでは、ニ層目記録層に記録レーザー光を透過させるために、一層目記録層の記録膜を単層のＤＶＤ−ＲＷディスクに比べてかなり薄くする必要がある。そのために、単層のＤＶＤ−ＲＷディスクに比べて記録条件の管理が難しいものになっている。我々の研究では、特に一層目記録層では、最適な記録を厳密に行わないと、記録再生状態が悪化し、再生時にエラーが多く発生したり再生不良になることが分かってきた。また、記録回数に伴って記録再生特性が変化することが分かってきた。ここで、記録回数は、工場出荷された状態の新品のディスクに初めて記録する場合を１回目、その後、記録した部分に改めて記録する場合を２、３、４、・・・、回目とする。例えば、１回目と２回目の間にＤＣ消去を行った場合でも、２回目の記録の記録再生状態は１回目と大きく異なる。図２２に同一の記録条件を用いて記録を行った場合の記録回数と再生エラーレートの測定結果を示す。図から分かるように、特に２回目の記録時のエラーレートが比較的悪く、１０回目以降１０００回以上にわたって比較的良好な再生エラーレートとなっている。また、図２３（Ａ）、（Ｂ）に、書込パワーＰｗと再生エラーレートとの測定結果、および消去パワーＰeと再生エラーレートとの測定結果を示す。図から分かるように、書込パワーＰｗまたは消去パワーＰｅの変化によって、再生エラーレートが大きく変化することが分かる。また、１回目の記録時の最適な書込パワーＰｗまたは消去パワーＰｅと２回目の記録時の最適な書込パワーＰｗまたは消去パワーＰｅには差があることが分かる。
【００１５】
本発明は、以上の知見に基づき、二層の記録層を持つＤＶＤ−ＲＷディスクの一層目記録層のような特性を持つ記録媒体に対して良好な記録を行うことを目的としている。
【課題を解決するための手段】
【００１６】
そこで上記課題を解決するために本発明は、下記の方法、装置、プログラム及び記録媒体を提供するものである。
（１）書き換え可能型の光ディスクであって、記録条件を様々に変えてテスト信号を光ディスクに記録し、当該記録されたテスト信号を再生して記録状態の良否を判定する所定の特性パラメータを検出して、当該特性パラメータが所定の設定値に近い値となるように記録条件を求め、求めた前記記録条件と記録回数に応じたパラメータとを演算することで決定した記録条件で実記録を行う光ディスク記録法で使用する、前記記録回数に応じたパラメータを予め記録しておくことを特徴とする光ディスク。
（２）書き換え可能型の光ディスクであって、記録条件を様々に変えてテスト信号を光ディスクに記録し、当該記録されたテスト信号を再生して記録状態の良否を判定する所定の特性パラメータを検出して、当該特性パラメータが所定の設定値に近い値となるように記録条件を決定し、その記録条件で実記録を行う光ディスク記録法で使用する前記設定値を予め記録しておく光ディスクであって、記録回数によって異なる前記設定値を記録しておくことを特徴とする光ディスク。
（３）書き換え可能型の光ディスクに記録する記録方法であって、記録条件を様々に変えてテスト信号を光ディスクに記録し、当該記録されたテスト信号を再生して記録状態の良否を判定する所定の特性パラメータを検出して、当該特性パラメータが所定の設定値に近い値となるように記録条件を求め、求めた前記記録条件と記録回数に応じたパラメータとを演算することで決定した記録条件で実記録を行う光ディスク記録方法。
（４）書き換え可能型の光ディスクに記録する記録装置であって、記録条件を様々に変えてテスト信号を光ディスクに記録し、当該記録されたテスト信号を再生して記録状態の良否を判定する所定の特性パラメータを検出して、当該特性パラメータが所定の設定値に近い値となるように記録条件を求め、求めた前記記録条件と記録回数に応じたパラメータとを演算することで決定した記録条件で実記録を行う光ディスク記録装置。
（５）書き換え可能型の光ディスクへの記録処理を記録手段に実行させる記録プログラムであって、記録条件を様々に変えてテスト信号を光ディスクに記録し、当該記録されたテスト信号を再生して記録状態の良否を判定する所定の特性パラメータを検出して、当該特性パラメータが所定の設定値に近い値となるように記録条件を求め、求めた前記記録条件と記録回数に応じたパラメータとを演算することで決定した記録条件で実記録を記憶手段に実行させる光ディスク記録プログラム。
（６）書き換え可能型の光ディスクに記録する記録方法であって、記録条件を様々に変えてテスト信号を光ディスクに記録し、当該記録されたテスト信号を再生して記録状態の良否を判定する所定の特性パラメータを検出して、当該特性パラメータが記録回数に応じた所定の設定値に近い値となるように記録条件を決定し、その記録条件で実記録を行うことを特徴とする光ディスク記録方法。
（７）書き換え可能型の光ディスクに記録する記録装置であって、記録条件を様々に変えてテスト信号を光ディスクに記録し、当該記録されたテスト信号を再生して記録状態の良否を判定する所定の特性パラメータを検出して、当該特性パラメータが記録回数に応じた所定の設定値に近い値となるように記録条件を決定し、その記録条件で実記録を行うことを特徴とする光ディスク記録装置。
（８）書き換え可能型の光ディスクへの記録処理を記憶手段に実行させる記録プログラムであって、記録条件を様々に変えてテスト信号を光ディスクに記録し、当該記録されたテスト信号を再生して記録状態の良否を判定する所定の特性パラメータを検出して、当該特性パラメータが記録回数に応じた所定の設定値に近い値となるように記録条件を決定し、その記録条件で実記録を記憶手段に実行させることを特徴とする光ディスク記録プログラム。
（９）記録膜の状態が結晶状態からアモルファス状態に変化してマークが形成される書込パワー、アモルファス状態から結晶状態に戻って古いマークが消去されてマーク非形成区間が形成される消去パワーおよびパルス分割記録によるマーク形成区間における分割パルスの底部のボトムパワーが設定された光ビームを用いて、光ディスクに記録されている古い情報を消去しながら新しい情報を書き込んでいく書き換え可能型光ディスクの記録方法において、初めに消去パワーと書込パワーの比を適当な値に固定して書込パワーを様々に変えてテスト信号を光ディスクに記録し、当該記録されたテスト信号を再生して、再生信号の変調度に係る値を検出して、予め設定した値に近い変調度に係る値が得られるように書込パワーを決定し、次いで書込パワーを前記決定した値に固定して、消去パワーを様々に変えてテスト信号を光ディスクに記録し、当該記録されたテスト信号を再生して、再生信号のアシンメトリに係る値を検出して、予め設定した値に近いアシンメトリに係る値が得られるように消去パワーを決定し、前記書込パワーと前記消去パワーの各決定した値の組み合わせで光ビームのパワーを制御して実記録を行うことを特徴とする光ディス（１０）記録膜の状態が結晶状態からアモルファス状態に変化してマークが形成される書込パワー、アモルファス状態から結晶状態に戻って古いマークが消去されてマーク非形成区間が形成される消去パワーおよびパルス分割記録によるマーク形成区間における分割パルスの底部のボトムパワーが設定された光ビームを用いて、光ディスクに記録されている古い情報を消去しながら新しい情報を書き込んでいく書き換え可能型光ディスクの記録装置において、初めに消去パワーと書込パワーの比を適当な値に固定して書込パワーを様々に変えてテスト信号を光ディスクに記録し、当該記録されたテスト信号を再生して、再生信号の変調度に係る値を検出して、予め設定した値に近い変調度に係る値が得られるように書込パワーを決定し、次いで書込パワーを前記決定した値に固定して、消去パワーを様々に変えてテスト信号を光ディスクに記録し、当該記録されたテスト信号を再生して、再生信号のアシンメトリに係る値を検出して、予め設定した値に近いアシンメトリに係る値が得られるように消去パワーを決定し、前記書込パワーと前記消去パワーの各決定した値の組み合わせで光ビームのパワーを制御して実記録を行うことを特徴とする光ディスク記録装置。
（１１）記録膜の状態が結晶状態からアモルファス状態に変化してマークが形成される書込パワー、アモルファス状態から結晶状態に戻って古いマークが消去されてマーク非形成区間が形成される消去パワーおよびパルス分割記録によるマーク形成区間における分割パルスの底部のボトムパワーが設定された光ビームを用いて、光ディスクに記録されている古い情報を消去しながら新しい情報を書き込んでいく書き換え可能型光ディスクの記録処理を記憶手段に実行させるプログラムにおいて、初めに消去パワーと書込パワーの比を適当な値に固定して書込パワーを様々に変えてテスト信号を光ディスクに記録し、当該記録されたテスト信号を再生して、再生信号の変調度に係る値を検出して、予め設定した値に近い変調度に係る値が得られるように書込パワーを決定し、次いで書込パワーを前記決定した値に固定して、消去パワーを様々に変えてテスト信号を光ディスクに記録し、当該記録されたテスト信号を再生して、再生信号のアシンメトリに係る値を検出して、予め設定した値に近いアシンメトリに係る値が得られるように消去パワーを決定し、前記書込パワーと前記消去パワーの各決定した値の組み合わせで光ビームのパワーを制御して実記録を記憶手段に実行させることを特徴とする光ディスク記録プログラム。
（１２）上記（９）に記載の記録方法であって、前記予め設定した値に近い変調度に係る値が得られるように決定した書込パワーあるいは/および前記予め設定した値に近いアシンメトリに係る値が得られるように決定した消去パワーに対して、記録回数に応じた係数を乗じた値を実記録の書込パワーあるいは/および消去パワーとすることを特徴する光ディスク記録方法。
（１３）上記（１０）に記載の記録装置であって、前記予め設定した値に近い変調度に係る値が得られるように決定した書込パワーあるいは/および前記予め設定した値に近いアシンメトリに係る値が得られるように決定した消去パワーに対して、記録回数に応じた係数を乗じた値を実記録の書込パワーあるいは/および消去パワーとすることを特徴する光ディスク記録装置。
（１４）上記（１１）に記載の記録プログラムであって、前記予め設定した値に近い変調度に係る値が得られるように決定した書込パワーあるいは/および前記予め設定した値に近いアシンメトリに係る値が得られるように決定した消去パワーに対して、記録回数に応じた係数を乗じた値を書込パワーあるいは/および消去パワーとして実記録を記憶手段に実行させることを特徴する光ディスク記録プログラム。
（１５）上記（１２）に記載の記録方法であって、前記予め設定した値に近い変調度に係る値が得られるように書込パワー決定する際の前記予め設定する値を記録回数に応じて異なる値とする、あるいは/また前記予め設定した値に近いアシンメトリに係る値が得られるように消去パワーを決定する際の前記予め設定する値を記録回数に応じて異なる値とすることを特徴する光ディスク記録方法。
（１６）上記（１３）に記載の記録装置であって、前記予め設定した値に近い変調度に係る値が得られるように書込パワー決定する際の前記予め設定する値を記録回数に応じて異なる値とする、あるいは/また前記予め設定した値に近いアシンメトリに係る値が得られるように消去パワーを決定する際の前記予め設定する値を記録回数に応じて異なる値とすることを特徴する光ディスク記録装置。
（１７）上記（１４）に記載の記録プログラムであって、前記予め設定した値に近い変調度に係る値が得られるように書込パワー決定する際の前記予め設定する値を記録回数に応じて異なる値とする、あるいは/また前記予め設定した値に近いアシンメトリに係る値が得られるように消去パワーを決定する際の前記予め設定する値を記録回数に応じて異なる値とするように記憶手段に実行させることを特徴する光ディスク記録プログラム。
【発明の効果】
【００１７】
本発明によれば、二層の記録層を持つＤＶＤ−ＲＷディスクの一層目記録層のような特性を持つ記録媒体に対して良好な記録を行うことが可能となる。
【発明を実施するための最良の形態】
【００１８】
本発明の実施の形態について図面を参照して説明する。図１は本発明になる光情報記録装置の一実施の形態を含む記録再生システムのブロック図を示す。同図において、記録再生システムは、上位装置１０と、本発明の光情報記録装置の一実施の形態である光ディスク装置２０と、図２０に示したような二層の記録層を持った片面２層ＤＶＤ−ＲＷディスク３０とを含む。上位装置１０は、光ディスク装置２０にＤＶＤ−ＲＷディスク３０に対する記録又は再生を命令する。上位装置１０は、例えば、パーソナルコンピュータである。上位装置１０と光ディスク装置２０は同一筐体に収められていてもよい。このような形態は、例えば、光ディスクレコーダにおいて採用される。ＤＶＤ−ＲＷディスク３０は、光ディスク装置２０に装填される。
【００１９】
光ディスク装置２０は、装置全体を制御するシステムコントローラ２１と、片面２層ＤＶＤ−ＲＷディスク３０への記録と再生を行う記録再生回路２２と、記録再生回路２２に接続されて光ビームの放射と反射ビームの受光を行う光ピックアップ２３と、システムコントローラ２１の制御プログラムが格納されたプログラムメモリ２４と、ＤＶＤ−ＲＷディスク３０へ記録及び再生するデータを一時的に保持するデータメモリ２５と、それらの構成要素をつなぐ内部バス２６と、上位装置１０と内部バス２６のインターフェイスを行うＩＦ２７と、記録状態検出回路２８から構成される。記録再生回路２２及び光ピックアップ２３は、片面２層ＤＶＤ−ＲＷディスク３０（複数の記録層を持った情報記録媒体）に試し書きや管理情報の記録を行う記録手段およびディスクに記録された情報の再生手段として機能する。記録状態検出回路２８は、試し書きを行った部分を再生する際に、記録状態の良否を判定する特性パラメータを算出するための測定を行う手段として機能する。記録状態検出回路２８で測定した測定値は、内部バス２６を介してシステムコントローラ２１に送られ、システムコントローラ２１は、プログラムメモリ２４の内容に従って、測定値を用いた演算を行い、特性パラメータを算出し、その算出結果から記録条件を決定する。
【００２０】
片面２層ＤＶＤ−ＲＷディスク３０は、相変化型の記録媒体であり、結晶相とアモルファス層を可逆的に変化させることで情報を記録する。実際の記録は、図２に示すように、光ビームをマルチパルス列の発光波形として行う。光ビームのドライブパルスは、記録データ（ｒｅｃｏｒｄｉｎｇ ｄａｔａ、ＮＲＺＩデータ）により変調されたパルスとなる。例えば、図に示す或るＮＲＺＩデータの期間において、図に示すようなドライブパルス（ｗｒｉｔｅ ｐｕｌｓｅ）が生成される。
【００２１】
なお、図２において、「Ｐｗ」は書込パワーとしてのレベル、「Ｐｅ」は消去パワーとしてのレベル、「Ｐｂ」はボトムパワーとしてのレベルである。また、図２の「Ｔ」はチャネルクロック期間、「Ｔｔｏｐ」、「Ｔｍｐ」は書込パワーのパルス期間である。図２から分かるように、ＮＲＺＩデータのローレベル期間には、消去パワーＰｅのドライブパワーが発生され、一方、ＮＲＺＩデータのハイレベル期間には、書込パワーＰｗ及びボトムパワーＰｂが交互に現れるパルスとなる。
【００２２】
このように、ＮＲＺＩデータのハイレベル期間には、レベルＰｗの書込パワーと、レベルＰｂのボトムパワーとが交互に出力されることによる加熱→冷却の急冷条件により、相変化型の記録媒体の記録層にアモルファス相が形成され、ＮＲＺＩデータのローレベル期間には、レベルＰｅの消去パワーによる加熱のみの徐冷条件により、相変化型の記録媒体の記録層に結晶相が形成される。
【００２３】
データ領域等では、記録済みの小領域に対しても同様の発光波形で記録を行う、ダイレクトオーバー記録が用いられる。一方、ＰＣＡ領域では、一旦試し書きを行った小領域を所定の消去パワーでＤＣ消去を行ってから、再度試し書きを行うことでＯＰＣ処理を行う手法が用いられる。ダイレクトオーバー記録では、最適記録パワーを正確に求められないことがあるからである。
【００２４】
記録状態検出回路２８の具体例を図３に示す。光ピックアップ２３から出射される光ビームによりＤＶＤ−ＲＷディスク３０の記録信号を読み取った再生信号が、光ピックアップから記録再生回路２２と記録状態検出回路２８に出力される。記録状態検出回路２８に入力されるのは、再生信号のうちのＨＦ（Ｈｉｇｈ Ｆｒｅｑｕｅｎｃｙ）信号である。ＨＦ信号は、図３のピークレベル検出回路４３に入力される。ピークレベル検出回路４３の出力は、Ａ３である。ピークレベル検出回路４３は、ＨＦ信号の＋側のピークをアナログ処理により検出する。
【００２５】
また、ＨＦ信号は、図３のハイパスフィルタ４０で直流分がカットされて図４に示すような信号が得られる。ハイパスフィルタ４０の出力はピークレベル検出回路４１、ボトムレベル検出回路４２に入力される。ピークレベル検出回路４１、ボトムレベル検出回路４２の出力はそれぞれＡ１、Ａ２である。ピークレベル検出回路４１、ボトムレベル検出回路４２は、直流分がカットされたＨＦ信号の＋側のピーク、−側のピークをそれぞれアナログ処理により検出する。Ａ１〜Ａ３のデータは、システムコントローラに送られ、それらのデータを用いて、システムコントローラ内で特性パラメータを得るための演算を行う。特性パラメータの１つがＨＦ信号のアシンメトリの程度を示す値βである。βは、下記式１の演算で求められる。
β ＝（Ａ１＋Ａ２）÷（Ａ１− Ａ２）    ・・・式１
他の特性パラメータの１つがＨＦ信号の変調度を示す値ｍである。変調度ｍは、下記式２の演算で求められる。
ｍ ＝（Ａ１−Ａ２）÷Ａ３              ・・・式２
変調度ｍは図５に示すように書込パワーＰｗに応じて変化する。一般に、書込パワーＰｗが低いときは、再生ＨＦ信号の振幅が小さいので変調度ｍは小さくなる。書込パワーＰｗが大きくなるにつれて、再生ＨＦ信号の振幅が大きくなるので変調度ｍは大きくなる。書込パワーＰｗがある程度大きくなると変調度ｍは飽和してくる。飽和し始めたあたりの書込パワーＰｗで記録したときが最も再生エラーが少ないので、そのときの書込パワー値を最適書込パワーＰwoと判定することができる。
【００２６】
変調度により記録状態の良否の判定を行う別の手法として、下記式３に示すように変調度ｍの特性から求められる次のパラメータγを用いる方法がある。
γ＝（ｄｍ／ｄＰｗ）×（Ｐｗ／ｍ）      ・・・式３
すなわち、パラメータγは変調度ｍの特性を微分したものである。γも、図５に示すように書込パワーＰｗとともに変化する。
【００２７】
図１に示す本発明の光情報記録装置の一実施の形態である光ディスク装置２０は、プログラムメモリ２４に格納されたプログラムに従い、以下説明する各実施例のいずれか一の実施例の動作を行う点に特徴がある。また、本発明の光情報記録媒体の一実施の形態であるＤＶＤ−ＲＷディスク３０は、以下説明する各実施例のいずれか一の実施例の動作を行うためのデータが予め記録されていること、あるいは/および、データを格納するための領域が確保されていることに特徴がある。
【実施例１】
【００２８】
図６は本発明になる光情報記録装置の実施例１の試し書き動作を説明するための、片面２層ＤＶＤ−ＲＷディスク３０のＲ情報領域を示す。図６（Ａ）は、新品のディスクのＲ情報領域の状況を示す。
【００２９】
ＤＶＤ−ＲＷディスク３０が光ディスク装置２０に装填された時、または上位装置１０から指示があった時等に、光ディスク装置２０はＯＰＣ動作を行う。一層目記録層３０１のＰＣＡ領域３１１でＯＰＣを行う時の動作を、図７〜図８のフローチャートを用いて説明する。
ＯＰＣの動作を開始すると、まずＤＶＤ−ＲＷディスク３０の最新のＲＭＤを読み取って、前回のＯＰＣ動作で使用した小領域の次の領域を求める（Ｓ１）。図６（Ａ）の新品ディスクの場合には、前回のＯＰＣで使用した小領域は無いので、ＰＣＡ領域３１１内の最初に使用する小領域、すなわちＰＣＡ領域３１１内の最外周の小領域を使用する。なお、小領域へのアクセスは、ＬＰＰとして記録されているアドレス情報を基に行う。
また、ＰＣＡ領域使用回数表を読み出す（Ｓ２）。ＰＣＡ領域使用回数表は、ＲＭＤデータのバイト位置ｍからｍ＋４１に格納されるデータで、光ディスク装置２０が作成し、他のＲＭＤデータとともにＲＭＡに書き込む。図６（Ａ）の新品ディスクの場合には、ＲＭＤ自体が記録されていないか、記録されていたとしてもＰＣＡ領域のバイト位置ｍからｍ＋４１のデータは全て０になっている。従って、使用する小領域の過去の使用回数は０である（Ｓ３）。
【００３０】
次に、図９に示すように、書込パワーＰｗを１０段階に変えて所定のテスト信号の試し書きを行う（Ｓ４）。
この時、図２の書込みパルスのボトムパワーＰｂについては所定の値で固定し、消去パワーＰｅについては書込パワーに対して所定の値εを乗じた値として、書込パワーとともに変化させる。εは、例えば０．５といった値になる。図９に示すように、書込パワーを振る範囲をＯＰＣレンジ、このときの基準となる中心パワーをＰｄｅｆと呼ぶ。ＯＰＣレンジは、Ｐｄｅｆに対して、例えば＋４０％、−３０％の範囲で１０段階で振る、あるいはＰｄｅｆに対して＋５ｍＷ、−４ｍＷの範囲で１ｍＷずつ振る、等の方法がある。尚、１０段階である必要はなく、適当な段階数であれば良い。
【００３１】
次に、試し書きした小領域を再生しながら（Ｓ５）、記録状態検出回路２８で測定した値を用いてシステムコントローラ２１で、書込パワーごとのγを算出する（Ｓ６）。算出したγの値が所定の設定値、γtargetに近い値となる書込パワーＰtargetを決定する。さらに下記式４のように所定の係数ρをＰtargetに乗じた値を最適書込パワーＰｗｏとする（Ｓ７）。
Ｐｗｏ ＝ ρ × Ｐtarget        ・・・式４
γtargetは、例えば１．５、ρは、例えば１．２２といった値になる。εやＰｄｅｆ、γtarget、ρ値は、ディスク製造時にＬＰＰやコントロールデータゾーンに予め記録された値を用いるようにしても良いし、あるいは光ディスク装置２０内の不揮発メモリーに予め市販各ディスク種別の測定結果を記憶しておいて、その値を用いるようにしても良い。
【００３２】
尚、特許文献２では、書込パワーの最適値を求めるための特性パラメータとして、アシンメトリ値を用いても良い旨が記載されているが、片面２層ＤＶＤ−ＲＷディスクの一層目記録層の場合には変調度を利用する方が容易に良い特性を得ることができる。図１０に、我々の研究で得られた、書き込みパワーＰｗとγ、βの値のグラフを示す。測定値から算出したγの値はＯＰＣレンジ全域で曲線上にそろっている。従って、算出したγがγtargetの値に近い値となる書込みパワーＰtargetを精度良く決定できる。一方、βの値は、特に最適記録パワーの付近でばらついており、しかも変化量が少ないために、βの値を用いてＰｗｏを精度良く決定することが困難である。実験的にβの値を利用して最適書込パワーＰｗｏを決定すると、最適値とずれてしまう場合が多かった。
【００３３】
次に、図９と同様に、消去パワーＰｅを１０段階程度に変えて所定のテスト信号の試し書きを行う（Ｓ８）。小領域内のまだ試し書きを行っていない領域を用いる。この時、書込パワーは先ほど求めたＰｗｏとし、ボトムパワーＰｂについては所定の値で固定する。次に、試し書きした小領域を再生しながら（Ｓ９）、記録状態検出回路２８で測定した値を用いてシステムコントローラ２１で、消去パワーごとのβを算出する（Ｓ１０）。算出したβの値が所定の設定値、βtargetに近い値となる消去パワーＰｅｏｒを決定する（Ｓ１１）。βtargetは、例えば０．０４といった値になる。この値は、ディスク製造時にＬＰＰやコントロールデータゾーンに予め記録された値を用いるようにしても良いし、あるいは光ディスク装置２０内の不揮発メモリーに予め市販各ディスク種別の測定結果を記憶しておいて、その値を用いるようにしても良い。
【００３４】
尚、特許文献２では、消去パワーＰｅの最適値を求めるための特性パラメータとして、変調度を用いても良い旨が記載されているが、片面２層ＤＶＤ−ＲＷディスクの場合にはアシンメトリ値を利用する方が容易に良い特性を得ることができる。図１１に、我々の研究で得られた、消去パワーＰｅとγ、βの値のグラフを示す。測定値から算出したβの値直線上に載っており変化量も比較的大きい。従って、算出したβの値が目標値βtargetに近い値となる消去パワーＰｅｏｒを精度良く決定することができる。一方、測定値から算出したγの値は、ＯＰＣレンジ内で殆ど変化していないので、γの値を用いてＰｅｏｒを精度良く決定することが困難である。実験的にγの値を利用して最適消去パワーＰｅｏｒを決定すると、最適値とずれてしまう場合が多かった。
【００３５】
次に先ほど求めた小領域の過去の使用回数を消去パワー係数表に当てはめて消去パワー係数μを求める。消去パワー係数表はディスク製造時に、ＬＰＰまたはリードイン内のコントロールデータゾーンに情報として格納されて記録されている。消去パワー係数表は、光ディスク装置２０がディスク３０の装填時に、ＬＰＰまたはリードイン内のコントロールデータゾーンから取得して、内部のデータメモリ２５に記憶しておく。
【００３６】
図１２（Ａ)に、ＬＰＰまたはコントロールデータゾーンに格納されているデータのうち、消去パワー係数表の部分を示す。バイト位置の、Ｎ〜Ｎ＋３がその位置である。各バイト位置に格納されている８ビットのデータは、図１２（Ｂ）  に示すような値を示している。例えば、バイト位置Ｎには、０６ｈが格納されているが、これは消去パワー係数μの値が１．３０であることを示す。
【００３７】
消去パワー係数μは、次のような意味を持っている。我々の研究では、片面二層ＤＶＤ−ＲＷディスクの一層目記録層の場合、前述したような方法で最適消去パワーＰｅｏｒ求めると、Ｐｅｏｒに記録回数依存性があることが分かっている。これは、従来は知られていなかった現象である。図１３は、別途求めた最適書込パワー、最適消去パワーを使用して記録を行い、記録回数を増やした場合のβの測定結果を示している。図から分かるように、１回目の記録ではβが小さく、２回目、３回目と徐々に大きくなって、４回目以降はほぼ一定値となっている。
【００３８】
従って、ＯＰＣの試し書きを行った小領域が１回目の記録である場合には、βtargetに近い値となるように求めた消去パワーＰｅｏｒは、最適消去パワーよりも小さいものとなる。βの値は、消去パワーを増加するとともに減少する特性を持つためである。消去パワー係数μは、これを補償するための係数である。
【００３９】
ＯＰＣの試し書きを行った小領域が１回目の記録である場合には、消去パワー係数表のバイトＮの位置のデータが示す値μ１＝１．３０とステップＳ１１で求めた消去パワーＰｅｏｒを乗じて、最適消去パワーＰｅｏを下記式５によって算出する。
Ｐｅｏ＝μ１×Ｐｅｏｒ        ・・・式５
同様に、ＯＰＣの試し書きを行った小領域が２回目の記録である場合には、消去パワー係数表のバイトＮ＋１の位置のデータが示す値μ２＝１．２５とステップＳ１１で求めた消去パワーＰｅｏｒにより、最適消去パワーＰｅｏを下記式６によって算出する。
Ｐｅｏ＝μ２×Ｐｅｏｒ      ・・・式６
同様に、３回目の記録である場合には、Ｎ＋２の位置にあるデータが示す値μ２を使用する。４回目の記録である場合には、Ｎ＋３の位置にあるデータが示す値μ３を使用する。
【００４０】
上述のように、βの値は、４回目以降はほぼ一定値となっているため、５回目以降の記録である場合には、消去パワー係数μは使用せず、下記式７のように最適消去パワーを決定する（Ｓ１２）。
Ｐｅｏ＝Ｐｅｏｒ            ・・・式７
ＯＰＣ動作の終了前に、今回使用したＰＣＡ領域内の小領域のアドレス情報を、ＲＭＤに格納してＲＭＡに記録する（Ｓ１３）。アドレス情報としては、ＬＰＰとして記録されている値を用いる。
【００４１】
以上のようなＯＰＣ動作を何度も実行すると、図６（Ｂ）のようにＰＣＡ領域内で試し書きを行った小領域が増加してくる。尚、図６（Ｂ）の矢印６１で示すように、一層目記録層のＰＣＡ領域３１１では、外周側の小領域からＯＰＣに使用する。一方、二層目記録層のＰＣＡ領域３２１では、矢印６２で示すように内周側の小領域からＯＰＣに使用する。
【００４２】
さらにＯＰＣの回数を重ねると、ＰＣＡ領域の様子は図６（Ｃ）のようになる。図６（Ｃ）では、一層目記録層のＰＣＡ領域３１１の使用済み領域の最内周の半径位置とニ層目記録層のＰＣＡ領域３２１の使用済み領域の最外周の半径位置との距離が閾値Ｗｔｈ未満となっている。このような状態になると、ＰＣＡ領域で新たに試し書きに使用出来る小領域がなくなることになるので、光ディスク装置２０は、記録済みの小領域をＤＣ消去する。これは、上位装置１０の命令に基づいて行われる場合もあるし、命令がなくても光ディスク装置２０が自動的に行う場合もある。ここで、一層目記録層のＰＣＡ領域３１１については、ＰＣＡ領域３１１の最外周のアドレスＳからアドレスＡの位置まで試し書きに使用しており、このアドレスＳとアドレスＡの値を光ディスク装置２０内のデータメモリに記憶しておく。
ＤＣ消去の際には、光ビームの記録パワーを消去パワーに保って照射する。ＤＣ消去が終了した状態では、図６（Ａ）と同様にＰＣＡ領域は未記録の状態になる。しかしながら、新品のディスクの場合とは異なり、一層目記録層のＰＣＡ領域３１１については、アドレスＳからアドレスＡの位置まで、１回の試し書きが行われて、その後ＤＣ消去されている。このことを示すために、アドレスＳとアドレスＡと試し書き回数の”１”を使用回数表の形でＲＭＤに格納してディスクのＲＭＡに記録する。図１４に、ＲＭＤの使用回数表の部分のバイト位置の様子を示す。バイト位置ｍからｍ＋２には、アドレス情報Ｓが格納されており、ｍ＋３からｍ＋５には、アドレス情報Ａが、ｍ＋６には、使用回数の”１”が格納されている。
【００４３】
次の一層目記録層のＰＣＡ領域３１１に対するＯＰＣ動作では、ＰＣＡ領域３１１の最外周の小領域から再度使用する。その際に、以上のようにして記録したＲＭＤを読み出すことで、その小領域の使用回数を取得する（Ｓ２）。  使用しようとする小領域のアドレスをＰとすると、このアドレスＰと使用回数表のバイト位置ｍ〜Ｍ＋２に格納されているアドレスＳ、ｍ＋３〜ｍ＋５に格納されているアドレスＡを比較して、アドレスＰがアドレスＳとアドレスＡの範囲内であることが判明した場合には、バイト位置ｍ＋６のデータにより、使用回数が１回であることが分かる。従って、今回の試し書きが２回目の記録であることが分かる（Ｓ３）。そこで、ステップＳ１２では消去パワー係数表のＮ＋１の位置の値を使用する。
一方、アドレスＰがアドレスＡよりも内周側である場合には、次にバイト位置ｍ＋７〜ｍ＋９に格納されているアドレスを読み出す。その値が００ｈであることから、アドレスＡよりも内周側の領域では使用回数が０であることが分かる。従って、今回の試し書きが１回の記録であると判断して、消去パワー係数表のＮの位置の値を使用する。
図６（Ｄ）は、以上のようにしてＯＰＣ動作を行っていき、再度、試し書きに使用出来る小領域がなくなった状態を示す。図６（Ｄ）の場合は、一層目記録層ＰＣＡ領域３１１については、ＰＣＡ領域３１１の最外周のアドレスＳからアドレスＢの位置の小領域までを試し書きに使用している。この状態からＰＣＡ領域をＤＣ消去する。ＤＣ消去後に、ＲＭＤの使用回数表の部分のデータを更新してディスクのＲＭＡに記録する。図６（Ｄ）では、アドレスＢがアドレスＡよりも外周側となっている。この場合の使用回数表を図１５に示す。図のバイト位置ｍからｍ＋２には、アドレス情報Ｓが格納されており、ｍ＋３からｍ＋５には、アドレス情報Ｂが、ｍ＋６には、使用回数の”２”が格納されている。バイト位置ｍ＋７からｍ＋９には、アドレス情報Ａが格納されており、ｍ＋１０には、使用回数の”１”が格納されている。一方、アドレスＢがアドレスＡよりも内周側の場合には、図１５の表で、アドレスＡとアドレスＢのバイト位置が入れ替わったものとなる。また、アドレスＡとアドレスＢが等しい場合には、図１５のバイト位置ｍ＋６に”０２ｈ”が格納され、バイト位置ｍ＋７からｍ＋１０には”００ｈ”が格納される。
【００４４】
ＤＣ消去後に再度、一層目記録層のＰＣＡ領域３１１の最外周の小領域からＯＰＣに使用していくが、その際に、以上のようにして記録したＲＭＤを読み出すことで、小領域の使用回数を取得する（Ｓ２）。使用しようとする小領域のアドレスをＱとすると、Ｑと図１５の使用回数表に格納されているアドレスＳ、アドレスＢ、アドレスＡとを比較する。アドレスＱがバイト位置ｍ〜ｍ＋２に格納されているアドレスＳとｍ＋３〜ｍ＋５に格納されているアドレスＢの範囲内であることが判明した場合、使用回数は、バイト位置ｍ＋６のデータから２回であることが分かり、今回の試し書きが３回目の記録であることが分かる（Ｓ３）。そこで、ステップＳ１２では消去パワー係数μとして、消去パワー係数表のＮ＋２の位置の値を使用する。
アドレスＱがバイト位置ｍ＋３〜ｍ＋５に格納されているアドレスＢとｍ＋７〜ｍ＋９に格納されているアドレスＡの範囲内であることが判明した場合、使用回数は、バイト位置ｍ＋１０のデータから１回であることが分かり、今回の試し書きが２回目の記録であることが分かる（Ｓ３）。そこで、ステップＳ１２では消去パワー係数μとして消去パワー係数表のＮ＋１の位置の値を使用する。アドレスＱがアドレスＡよりも内周側である場合には、バイト位置ｍ＋１１以降に”００ｈ”が格納されていることから、今回の試し書きが１回目の記録であることが分かるので、消去パワー係数μとして消去パワー係数表のＮの位置の値を使用する。
【００４５】
以上のように、一層目記録層のＰＣＡ領域３１１のＤＣ消去の度に、領域内の記録回数を示す使用回数表を更新する。ここで、ＰＣＡ領域３１１内のある領域の使用回数が４回を超えた場合には、必ずしも使用回数を５、６、・・回と増やさずに、使用回数表に格納する使用回数が４のままでも良い。消去パワー係数は、５回目以降の試し書きでは、１となるからである。
【００４６】
以上のように、本実施例では、まず書込パワーと消去パワーの比を一定にして、書き込みパワーを変化させてテスト用記録信号を書込み、その部分を再生して、目標とする変調度に近い値が得られる書込パワーを求めて、その値からデータ領域への記録時の書込パワーを決定する。次に、書込パワーをその値に固定し、消去パワーを変化させてテスト用記録信号を書込、その部分を再生して、目標とするアシンメトリー値に近い値が得られる消去パワーを求め、その値からデータ領域への記録時の消去パワーを決定することで、確実に最適な書込パワー、消去パワーを決定することが可能である。
さらに、一層目記録層のＰＣＡ領域内で行った試し書きの回数をディスクに記録し、ＯＰＣ動作時にその値を読み取ることで、その小領域への試し書きが何回目の記録であるかを判断し、その回数に応じた消去パワー係数を利用してデータ領域への記録時の消去パワーを決定することで、ＰＣＡ領域内の小領域の記録回数によらずに、安定して最適な消去パワーを得ることができる。
さらに、記録回数と消去パワー係数の関係を与えるデータをディスク製造時に記録することで、新たに市販を開始したディスクであっても、そのデータを再生して利用できることから利便性が増す。
【００４７】
ところで、ＤＶＤ−ＲＷディスクの場合には、データ領域に新たなデータを記録するために、データ領域とともにＲＭＡ領域も消去される場合がある。そのような場合でも、使用回数表のデータについては、一旦光ディスク装置２０内のデータメモリ２５にそのデータを記憶しておき、消去後に新たに記録するＲＭＤに記録する必要がある。
尚、以上の実施例では、消去パワー係数表が４回目までの係数を持つとしたが、これに限定されるものではなく、例えば３回目までであっても良いし、５回目までであっても良い。また、消去パワー係数表として、予めＬＰＰまたはリードイン内のコントロールデータゾーンに情報として格納されて記録されている値を使用するものとしたが、これに限定されるものではない。市販されているディスクについて、ディスク種別の測定結果に基づいて求めた表を予め光ディスク装置２０内の不揮発メモリーに記憶しておき、その値を使用するようにしても良い。また、その場合でも、新たに市販が開始されたディスク種別であって、不揮発メモリー内に該当する表が無い場合には、ディスクのＬＰＰまたはリードイン内のコントロールデータゾーンに予め情報として格納されて記録されている値を使用するようにしても良い。
また、記録パルスの形状については、図２の形状を変形したものを用いても良い（これは、以下の実施例でも同様）。
【００４８】
また、本実施例では、消去パワーについて消去パワー係数表を利用して記録回数依存性を補償する方法を説明した。書込パワーについても、消去パワーに比べると変化量が小さいが、記録回数依存性があることが分かっている。書込パワーについても、目標γが得られる書込パワーに対して、記録回数に応じた係数を乗じて、データ領域への記録時の書込パワーを決定するようにすれば、さらに最適な記録を行うことが出来る。その場合、記録回数と書込パワーに乗じる係数との関係を示すデータをディスク製造時に、ＬＰＰまたはコントロールデータゾーンに記録しておくことで、利便性が増す。
【００４９】
なお、本発明は以上の実施の形態及び実施例に限定されるものではなく、例えば、本発明が適用される記録媒体は、３層以上の記録層が積層された書き換え型光ディスクにも適用することができる。また、本発明は以上の実施の形態及び実施例の光ディスク装置の各構成をコンピュータにより実行させるコンピュータプログラムも含むものである。この場合、コンピュータプログラムは、記録媒体からコンピュータに取り込まれたものでも、通信ネットワークを介して配信されてコンピュータにダウンロードされるものでもよい（これは、以下の実施例でも同様）。
【実施例２】
【００５０】
本実施例では、実施例１で述べた消去パワー係数表のかわりに、目標アシンメトリ表を利用する。実施例２で実施例１と同様の部分については、説明を省略する。
図１３で示したように、アシンメトリ値βには、記録回数依存性がある。そこで、記録回数に応じて目標アシンメトリ値βtargetを適当な値に変えることで、最適な消去パワーを得ることができる。
【００５１】
本実施例で使用する目標アシンメトリ表は、ディスク製造時に、ＬＰＰまたはリードイン内のコントロールデータゾーンに情報として格納されて記録されている。光ディスク装置２０は、片面２層ＤＶＤ−ＲＷディスク３０が装填された時に、ＬＰＰまたはリードイン内のコントロールデータゾーンから目標アシンメトリ表を取得して、内部のデータメモリ２５に記憶しておく。
図１７（Ａ）にＬＰＰまたはコントロールデータゾーンに格納されているデータのうち、目標アシンメトリ表の部分を示す。バイト位置Ｎ〜Ｎ＋４がその位置である。各バイト位置に格納されている８ビットのデータは、図１７（Ｂ）に示すような値を示している。例えば、バイト位置Ｎに格納されているデータ”０２ｈ”は、目標アシンメトリ値βtargetの値、−０．１１を示している。バイト位置Ｎに格納されているのは、１回目の記録用のアシンメトリ値βの目標値βtarget1であり、バイトＮ＋１の位置に格納されているのは、２回目の目標値βtarget2、Ｎ＋２の位置に格納されているのは３回目の目標値βtarget3、Ｎ＋３の位置に格納されているのは４回目の記録用のアシンメトリ値βの目標値目標値βtarget4である。Ｎ＋４の位置には、５回目以降の記録用のアシンメトリ値βの目標値βtarget0が格納されている。図１３に示すように、最適消去パワーを使用して記録を行い、記録回数を増やした場合、１回目の記録ではβが小さく、２回目、３回目と徐々に大きくなって、４回目以降はほぼ一定値となる。そこで、ＯＰＣの試し書きを行う小領域が１回目の記録である場合には、βの目標値としてβtarget1を、２回目の記録である場合にはβtarget2 を、３回目の記録である場合にはβtarget3 を、４回目の記録である場合にはβtarget4 を用いて、５回目以降は、共通の値βtarget0を用いる。
一層目記録層のＰＣＡ領域３１１でＯＰＣを行う時の動作を、図７と図１６のフローチャートを用いて説明する。図７のフローチャート前半部は、実施例１と同様である。
【００５２】
ステップＳ２、Ｓ３で、今回使用する小領域の過去の記録回数をその小領域のアドレスとＰＣＡ領域の使用回数表とから求める。
ステップＳ８で、消去パワーＰｅを１０段階に変えて所定のテスト信号の試し書きを行い、ステップＳ９で記録した部分を再生しながら、記録状態検出回路２８からのデータによって、ステップＳ１０で消去パワー毎のアシンメトリー値βを算出する。
【００５３】
ステップＳ１１で、ステップＳ３で求めた使用回数に応じた目標アシンメトリ値を目標アシンメトリ表から求める。過去の記録回数が０回であれば、バイトＮの位置のデータからアシンメトリー値βの目標値βtarget1を設定する。過去の記録回数が１回であればバイトＮ＋１の位置のデータからβtarget2、２回であればバイトＮ＋２の位置のデータからβtarget3、３回であればバイトＮ＋３の位置のデータからβtarget4をアシンメトリー値βの目標値とする。４回以上であれば、バイトＮ＋４の位置のデータからβtarget0をアシンメトリー値βの目標値として設定する。
【００５４】
ステップＳ１２で、算出したアシンメトリー値βが、記録回数に応じて設定したβの目標値βtargetに近い値となる消去パワーを最適消去パワーとする。
本実施例の場合には、この後で消去パワー係数を乗ずるようなことはしない。
その他の部分については、実施例１と同様である。
以上のように本実施例では、一層目記録層のＰＣＡ領域内で行った試し書きの回数をディスクに記録し、ＯＰＣ動作時にその値を読み取ることで、その小領域への試し書きが何回目の記録であるかを知り、その回数に応じた目標アシンメトリ値を用いてデータ領域への記録時の消去パワーを決定することで、ＰＣＡ領域内の小領域の記録回数によらずに、安定して最適な消去パワーを得ることができる。
さらに、記録回数と目標アシンメトリ値の関係を与えるデータをディスク製造時に記録することで、新たに市販を開始したディスクであっても、そのデータを再生して利用できることから利便性が増す。
尚、以上の実施例では、目標アシンメトリ表が４回目の記録までは回数毎のβtarget1〜βtarget4の値を持ち、５回目以降は共通のβtargetの値を持つとしたが、これに限定されるものではなく、例えば３回目までが回数毎の値で４回目以降が共通の値であってもよいし、あるいは５回目までが回数毎の値で６回目以降が共通の値であってもよい。
また、目標アシンメトリ表として、予めＬＰＰまたはリードイン内のコントロールデータゾーンに情報として格納されて記録されている値を使用するものとしたが、これに限定されるものではない。市販されているディスクについて、ディスク種別の測定結果に基づいて求めた表を予め光ディスク装置２０内の不揮発メモリーに記憶しておき、その値を使用するようにしても良い。また、その場合でも、新たに市販が開始されたディスク種別で、不揮発メモリー内に該当する表が無い場合に、ディスクの予めＬＰＰまたはリードイン内のコントロールデータゾーンに情報として格納されて記録されている値を使用するようにしても良い。
また、本実施例では、消去パワーについて目標アシンメトリ表を利用して記録回数依存性を補償する方法を説明した。書込パワーについても、消去パワーに比べると変化量が小さいが、記録回数依存性があることが分かっている。書込パワーについても、目標γの値を記録回数に応じた値とすれば、より最適な書込パワーを求めることができる。その場合、記録回数と目標γとの関係を示すデータをディスク製造時に、ＬＰＰまたはコントロールデータゾーンに記録しておくことで、利便性が増す。
【図面の簡単な説明】
【００５５】
【図１】本発明の一実施例を示す構成図である、
【図２】ＤＶＤ−ＲＷへの記録／消去時のレーザーパワーの変化を示した図である。
【図３】本発明の一実施例における記録状態検出回路の構成図である。
【図４】直流分がカットされたＨＦ信号の様子を示した図である。
【図５】片面２層ＤＶＤ−ＲＷへの書き込みパワーと変調度の関係を示すグラフである      。
【図６】本発明の一実施例の動作説明図である。
【図７】本発明の一実施例の動作を示すフローチャートである。
【図８】本発明の一実施例の動作を示すフローチャートである。
【図９】本発明の一実施例における試し書きの様子を示した図である。
【図１０】片面２層ＤＶＤ−ＲＷへの書き込みパワーとγ、βの関係を示すグラフであ      る。
【図１１】片面２層ＤＶＤ−ＲＷへの消去パワーとγ、βの関係を示すグラフである。
【００５６】
【図１２】消去パワー係数表の例である。
【図１３】片面２層ＤＶＤ−ＲＷへの記録回数とβの関係を示すグラフである
【図１４】ＲＭＤの使用回数表部分の内容を示した図である。
【図１５】ＲＭＤの使用回数表部分の内容を示した図である。
【図１６】本発明の一実施例の動作を示すフローチャートである。
【図１７】ＬＰＰまたはコントロールデータゾーンの目標アシンメトリ表部分の内容を      示した図である。
【図１８】１層ＤＶＤ−Ｒ／ＲＷの構造図である。
【図１９】ＤＶＤ−Ｒ／ＲＷの記録層の構造図である。
【図２０】片面２層ＤＶＤ−Ｒ／ＲＷの構造図である。
【図２１】片面２層ＤＶＤ−Ｒ／ＲＷのＰＣＡ領域の構造図である。
【図２２】片面２層ＤＶＤ−ＲＷへの記録回数とエラーレートの関係を示すグラフであ      る。
【図２３】片面２層ＤＶＤ−ＲＷへの書き込みパワーとエラーレート、及び消去パワー      とエラーレートの関係を示すグラフである
【符号の説明】
【００５７】
１０  上位装置
２０  光ディスク装置
２１  システムコントローラ
２２  記録再生回路
２３  光ピックアップ
２４  プログラムメモリ
２５  データメモリ
２６  内部バス
２７  インターフェース（ＩＦ）
２８  記録状態検出回路
３０  ２層ＤＶＤ−ＲＷディスク
【図１】
2007087504.tif 000003
【図２】
2007087504.tif 000004
【図３】
2007087504.tif 000005
【図４】
2007087504.tif 000006
【図５】
2007087504.tif 000007
【図６】
2007087504.tif 000008
【図７】
2007087504.tif 000009
【図８】
2007087504.tif 000010
【図９】
2007087504.tif 000011
【図１０】
2007087504.tif 000012
【図１１】
2007087504.tif 000013
【図１２】
2007087504.tif 000014
【図１３】
2007087504.tif 000015
【図１４】
2007087504.tif 000016
【図１５】
2007087504.tif 000017
【図１６】
2007087504.tif 000018
【図１７】
2007087504.tif 000019
【図１８】
2007087504.tif 000020
【図１９】
2007087504.tif 000021
【図２０】
2007087504.tif 000022
【図２１】
2007087504.tif 000023
【図２２】
2007087504.tif 000024
【図２３】
2007087504.tif 000025